(57)【要約】      （修正有）【課題】化粧筆の筆部の穂先を痛めることなく収納、取り出し及び保管を行うことが可能な化粧筆収納ケースを提供する。【解決手段】化粧筆収納ケース１は、略矩形の表面部材３と、表面部材よりも左右方向に長い背面部材５とが厚さ方向に重ね合され、表面部材及び背面部材の上端縁１１同士、及び下端縁１３同士が接合され、且つ、表面部材の左右両端が開口に形成された中空構造からなる収納部７と、収納部の左右開口端１９から背面部材が左右方向の外方へ延設されると共に、表面部材の正面に向かって折り返すことができる舌片状の蓋部９と、蓋部を折り返した状態で、左右の蓋部を表面部材に重ね合わせて接合するための着脱自在な面ファスナーＦと、を備える。【選択図】図６
0003210817.tif 000002
【実用新案登録請求の範囲】
【請求項１】
布、或いは合成樹脂等の柔らかな布状体によって構成されてなり、化粧筆を収納する化粧筆収納ケースであって、
略矩形の表面部材と、前記表面部材よりも左右方向に長い背面部材とが厚さ方向に重ね合されてなり、
前記背面部材の中央部分において前記表面部材及び前記背面部材の上端縁同士、及び下端縁同士が接合され、且つ、前記表面部材の左右両端が開口に形成されてなる中空構造からなる収納部と、
前記収納部の左右開口端から前記背面部材が左右方向の外方へ延設されてなると共に、前記表面部材の正面に向かって折り返すことができる舌片状の蓋部と、
前記蓋部を折り返した状態で、左右の前記蓋部を前記表面部材に重ね合わせて接合するための着脱自在な留め具と、を備えてなる、
ことを特徴とする化粧筆収納ケース。
【請求項２】
布、或いは合成樹脂等の柔らかな布状体によって構成されてなり、化粧筆を収納する化粧筆収納ケースであって、
略矩形の表面部材と、前記表面部材よりも左右方向に長い背面部材とが厚さ方向に重ね合されてなり、
前記背面部材の中央部分において前記表面部材及び前記背面部材の上端縁同士、及び下端縁同士が接合され、且つ、前記表面部材の左右両端が開口に形成されてなる中空構造からなる収納部と、
前記収納部の左右開口端から前記背面部材が左右方向の外方へ延設されてなると共に、前記表面部材の正面に向かって折り返すことができる舌片状の蓋部と、
前記蓋部を折り返した状態で、左右の前記蓋部同士を重ね合わせて接合するための着脱自在な留め具と、を備えてなる、
ことを特徴とする化粧筆収納ケース。
【請求項３】
前記収納部は、前記表面部材の上下長さが、前記背面部材の上下長さよりも僅かに長く形成され、且つ、前記背面部材に対して前記表面部材が僅かに筒状に膨らむ構成としてなる、
ことを特徴とする請求項１若しくは２に記載の化粧筆収納ケース。
【請求項４】
前記留め具は、前記蓋部が接合する位置を左右両方向に調整可能としてなる、
ことを特徴とする請求項１若しくは２に記載の化粧筆収納ケース。
【考案の詳細な説明】
【技術分野】
【０００１】
本考案は、化粧筆を収納する化粧筆収納ケースに関する。
【背景技術】
【０００２】
従来技術としては、有底の筒状体である容器部と、蓋部と、中筒部とで構成され、中筒部は容器部に圧入される下半部と、下半部と蝶番で結合され開閉自在の上半部とを有してなり、化粧筆を容器部の中に一方向から挿し入れて収納し、化粧筆を使用する際には同じ収納口から引き出して取り出す構造の化粧筆収納ケースが挙げられる（特許文献１参照）。
【先行技術文献】
【特許文献】
【０００３】
【特許文献１】特開平１０−２４８６２１公報
【考案の概要】
【考案が解決しようとする課題】
【０００４】
従来の化粧筆収納ケースは、使用後の化粧筆をケースの最も底まで挿し入れようとする時に穂先が手に当たりやすく、また、容器部から化粧筆を引き出す際に、化粧筆の筆部を手で摘まんでしまうことも多く、化粧筆の筆部の穂先が痛められることによって、化粧筆の寿命が短くなるという課題があった。
【課題を解決するための手段】
【０００５】
そこで、上記課題を解決するための手段として本考案に係る化粧筆収納ケースは、[１]布、或いは合成樹脂等の柔らかな布状体によって構成されてなり、化粧筆を収納する化粧筆収納ケースであって、略矩形の表面部材と、前記表面部材よりも左右方向に長い背面部材とが厚さ方向に重ね合されてなり、前記背面部材の中央部分において前記表面部材及び前記背面部材の上端縁同士、及び下端縁同士が接合され、且つ、前記表面部材の左右両端が開口に形成されてなる中空構造からなる収納部と、前記収納部の左右開口端から前記背面部材が左右方向の外方へ延設されてなると共に、前記表面部材の正面に向かって折り返すことができる舌片状の蓋部と、前記蓋部を折り返した状態で、左右の前記蓋部を前記表面部材に重ね合わせて接合するための着脱自在な留め具と、を備えてなる、ことを特徴とする。
【０００６】
また本考案は、［２］布、或いは合成樹脂等の柔らかな布状体によって構成されてなり、化粧筆を収納する化粧筆収納ケースであって、略矩形の表面部材と、前記表面部材よりも左右方向に長い背面部材とが厚さ方向に重ね合されてなり、前記背面部材の中央部分において前記表面部材及び前記背面部材の上端縁同士、及び下端縁同士が接合され、且つ、前記表面部材の左右両端が開口に形成されてなる中空構造からなる収納部と、前記収納部の左右開口端から前記背面部材が左右方向の外方へ延設されてなると共に、前記表面部材の正面に向かって折り返すことができる舌片状の蓋部と、前記蓋部を折り返した状態で、左右の前記蓋部同士を重ね合わせて接合するための着脱自在な留め具と、を備えてなる、ことを特徴とする。
【０００７】
また本考案は、［３］前記[１]若しくは［２］に記載の前記収納部は、前記表面部材の上下長さが、前記背面部材の上下長さよりも僅かに長く形成され、且つ、前記背面部材に対して前記表面部材が僅かに筒状に膨らむ構成としてなる、ことを特徴とする。
【０００８】
また本考案は、［４］前記[１]若しくは［２］に記載の前記留め具は、前記蓋部が接合する位置を左右両方向に調整可能としてなる、ことを特徴とする。
【０００９】
本考案によれば、前記蓋部を開いた状態で前記化粧筆の柄部の先端を前記収納部の開口の一端側に挿し入れ、該開口の他端側から前記柄部を摘まんで引き入れることにより、前記化粧筆の筆部の穂先が前記収納部に収納される。さらに、左右の前記蓋部を折り返した状態に閉めて、前記蓋部と前記表面部材を重ね合わせて、該蓋部の留め具と該表面部材の留め具を接合することにより、前記化粧筆の収納及び保管をすることができる前記化粧筆収納ケースを提供できる。
【００１０】
また、前記蓋部を折り返した状態に閉めて、左右の前記蓋部を重ね合わせて前記留め具同士を接合する構成としても好ましい。
【００１１】
前記化粧筆は、フェイスブラシ、メイクブラシ、及びファンデーションブラシ等と呼ばれるもので、豊富なブラシバリエーションがあり、前記筆部の穂先は筆の命と言われるほど重要なために、該化粧筆を収納する収納ケースとしては、前記穂先を痛めないことが第一に要求されている。
【００１２】
そのために、本考案は、前記化粧筆の柄部の先端を前記収納部の開口の一端側に挿し入れ、該開口の他端側から前記柄部を摘まんで引き入れて該化粧筆を収納し、前記蓋部を閉めて保管することになる。次に、使用するときは、前記蓋部を開けて前記他端側から前記柄部を摘まんで引き出して該化粧筆を使用することになり、前記化粧筆の収納と引き出しの一連の操作が該化粧筆を一方向に移動させる操作となるので、前記穂先を痛めることなく収納、取り出し及び保管ができる構成としてなる。
【００１３】
前記収納部は、前記開口の一端側と他端側が略同一の形状で構成され、前記開口の一端側と他端側との間で中空構造が構成されてなる。さらに、前記背面部材に対して前記表面部材が僅かに筒状に膨らことにより、前記開口の一端側と他端側も同様に膨らむ構成としてなることが好ましい。そのことにより、前記化粧筆の柄部を前記開口に挿し入れ易く、且つ、取り出し易くしてなる。
【００１４】
前記留め具は、面ファスナーであることが好ましい。前記蓋部の左右片の正面と、前記表面部材の左右両端に近接する正面にそれぞれ面ファスナーを備えてなり、前記蓋部の面ファスナーは、前記表面部材の面ファスナーの左右方向の長さよりも長くしてなることにより、前記蓋部の面ファスナーと前記表面部材の面ファスナーを重ね合わせて接合する位置を左右両方向に調整可能としてなる。
【００１５】
また、前記留め具は、磁石であっても好ましい。前記蓋部の左右片の両端部に該磁石が埋設されてなり、例えば、前記左辺の磁石は間を開けて２個埋設され、前記右辺の磁石は１個埋設されてなる。左右の前記蓋部同士を重ね合わせて、前記右辺の１個の磁石が、前記左辺の２個の磁石のいずれかと接合することにより、前記蓋部同士を接合する位置を２段階に調整可能としてなる。
【００１６】
前記接合する位置を調整可能としていることにより、前記化粧筆の長短に対応することが可能となる。つまり、前記化粧筆の長さが短い場合、該化粧筆は前記収納部内に完全に収納されるために、前記左右開口端を基端として前記蓋部を折り返して留め具で接合することができる。一方、前記化粧筆の長さが長い場合、該化粧筆の柄部は前記収納部から一部はみ出して収納されるために、はみ出した前記柄部を基端として前記蓋部を折り返して留め具で接合することができる。
【考案の効果】
【００１７】
本考案の化粧筆収納ケースによれば、化粧筆の柄部の挿し入れ方向と引き出し方向が一方向の操作となることにより、化粧筆の穂先に手が触れることなく化粧筆の収納ケースからの出し入れが可能となるため、化粧筆の筆部の穂先を痛めることなく収納と取り出しが可能となる。
【００１８】
また、収納した状態で、化粧筆の筆部が収納部の表面部材と背面部材に挟まれて保持されることにより、化粧筆の移動を防ぐことができ、筆部の穂先を痛めることなく保管することが可能となり、化粧筆の筆部の穂先の寿命を向上させることができる。
【００１９】
また、左右の蓋部同士を重ね合わせて留め具で接合する構成にしたことにより、留め具は左右の蓋部に設けるだけでよく、表面部材への留め具が不要となるために、製造コストが廉価となる。
【００２０】
また、背面部材に対して表面部材が僅かに筒状に膨らんでいることにより、収納部の左右両端の開口から化粧筆の柄部を挿し入れたり、抜き出したりすることが容易になる。
【００２１】
また、留め具の接合する位置を調整可能としてなるので、化粧筆の長さの長短に対する対応が可能となると共に、化粧筆の長さに応じて蓋部の折り返し部において、化粧筆の柄部を保持することができる。
【図面の簡単な説明】
【００２２】
【図１】本考案の第一の実施例を示す図であり、化粧筆収納ケース１の正面図（ａ）、及び背面図（ｂ）である。
【図２】本考案の第一の実施例を示す図であり、化粧筆収納ケース１の平面図（ｃ）、及び右側面図（ｄ）である。
【図３】本考案の第一の実施例を示す図であり、化粧筆収納ケース１の拡大右側面図（ｅ）、及び図１中におけるＡ−Ａ拡大断面図（ｆ）である。
【図４】本考案の第一の実施例を示す図であり、化粧筆収納ケース１の図１中におけるＢ−Ｂ断面図（ｇ）、及び当図４（ｇ）中におけるＣ−Ｃ部分拡大図（ｈ）である。
【図５】本考案の第一の実施例を示す図であり、化粧筆収納ケース１の使用状態を示しており、蓋部９を開いた状態で化粧筆Ｋの柄部Ｅの先端を開口１７の一端側に挿し入れた状態の参考正面図（ｉ）、開口１７の他端側から柄部Ｅを摘まんで引き入れることにより、筆部Ｈの穂先が収納部７に収納された状態の参考正面図（ｊ）である。
【図６】本考案の第一の実施例を示す図であり、化粧筆収納ケース１の使用状態を示しており、蓋部９を折り返して閉めた状態で、蓋部９の面ファスナーＦと表面部材３の面ファスナーＦとを接合することにより、化粧筆Ｋの筆部Ｈの穂先を痛めることなく収納及び保管した状態の参考正面図（ｋ）、及び参考平面図（ｌ）である。
【図７】本考案の第二の実施例を示す図であり、化粧筆収納ケース３０の正面図（ｍ）、及び背面図（ｎ）である。
【図８】本考案の第二の実施例を示す図であり、化粧筆収納ケース３０の平面図（ｏ）、及び右側面図（ｐ）である。
【図９】本考案の第二の実施例を示す図であり、化粧筆収納ケース３０の図７中におけるＡ−Ａ断面図（ｑ）である。
【図１０】本考案の第二の実施例を示す図であり、化粧筆収納ケース３０の使用状態を示しており、蓋部３９を開いた状態で化粧筆Ｋの柄部Ｅの先端を開口４７の一端側に挿し入れた状態の参考正面図（ｒ）、開口４７の他端側から柄部Ｅを摘まんで引き入れることにより、筆部Ｈの穂先が収納部３７に収納された状態の参考正面図（ｓ）である。
【図１１】本考案の第二の実施例を示す図であり、化粧筆収納ケース３０の使用状態を示しており、蓋部３９を折り返して閉めた状態で、左右の蓋部３９の磁石Ｇ，Ｇ同士を吸着接合することにより、化粧筆Ｋの筆部Ｈの穂先を痛めることなく収納及び保管した状態の参考正面図（ｔ）、及び参考平面図（ｕ）である。
【考案を実施するための形態】
【００２３】
以下、本考案に係る実施の化粧筆収納ケース１、及び化粧筆収納ケース３０の形態について、図１乃至図１１を参照しながら詳しく説明する。
【００２４】
本考案の第一の実施例の化粧筆収納ケース１は、布、或いは合成樹脂等の柔らかな布状体によって構成され、図１乃至図４に示すように、略矩形の表面部材３と、表面部材３よりも左右方向に長い背面部材５とが厚さ方向に重ね合されてなり、背面部材５の中央部分において表面部材３及び背面部材５の上端縁１１，１１同士、及び下端縁１３，１３同士が縫合等により接合され、且つ、表面部材３の左右両端１５，１５が開口１７に形成されてなる中空構造からなる収納部７を形成してなる。
【００２５】
上端縁１１，１１同士、及び下端縁１３，１３同士の接合部分をそれぞれ表面から背面にかけてまわり込ませて縫い付けられてなる薄布によって、端面を補強する補強部材２３で補強処理されている。当該補強処理はパイピング処理でも良い。なお、当該補強処理の有無は選択することができる。
【００２６】
さらに、収納部７の左右開口端１９，１９から背面部材５が左右方向の外方へ延設されてなると共に、表面部材３の正面に向かって折り返すことができる舌片状の蓋部９，９と、蓋部９を折り返した状態で、左右の蓋部９，９を表面部材３に重ね合わせて接合するための着脱自在な面ファスナーＦからなる留め具とを備えてなる。
【００２７】
収納部７は、表面部材３の上下長さが、背面部材５の上下長さよりも僅かに長く形成され、且つ、背面部材５に対して表面部材３が僅かに筒状に膨らむ凸形状２１を形成してなることにより、収納部７の開口１７から化粧筆Ｋの柄部Ｅを挿し入れ易くなる。
【００２８】
面ファスナーＦは、左右の蓋部９，９の正面と、表面部材３の左右両端に近接する正面とにそれぞれ縫合等により取り付けられてなる。蓋部９の面ファスナーＦは表面部材３の面ファスナーＦの左右方向の長さよりも長くしてなり、蓋部９の面ファスナーＦと表面部材３の面ファスナーＦの接合する位置を左右両方向に調整可能としてなる。
【００２９】
化粧筆収納ケース１の使用方法は、図５（ｉ）に示すように、蓋部９，９を開いた状態で化粧筆Ｋの柄部Ｅの先端を開口１７の一端側に挿し入れ、図５（ｊ）に示すように、開口１７の他端側から柄部Ｅを摘まんで引き入れることで、筆部Ｈの穂先が収納部７に収納される。
【００３０】
さらに、図６に示すように、左右の蓋部９，９を折り返した状態に閉めて、蓋部９の面ファスナーＦと表面部材３の面ファスナーＦとを接合することにより、化粧筆Ｋの筆部Ｈの穂先を痛めることなく、収納及び保管することができる。
【００３１】
このとき、面ファスナーＦの接合する位置は、図６（ｌ）に示すように、左側の表面部材３の面ファスナーＦと左側の蓋部９の面ファスナーＦの接合位置が左側の蓋部９の面ファスナーＦの中央部で接合されてなる。一方、右側については、柄部Ｅが収納部７からはみ出しているために、右側の表面部材３の面ファスナーＦと右側の蓋部９の面ファスナーＦの接合位置が右側の蓋部９の面ファスナーＦの端部で接合されてなる。
【００３２】
このように、蓋部９の面ファスナーＦは表面部材３の面ファスナーＦの左右方向の長さよりも長くしてなることにより、蓋部９の面ファスナーＦと表面部材３の面ファスナーＦの接合する位置を左右両方向に調整が可能とされてなる。
【００３３】
このようにしてなる化粧筆収納ケース１は、化粧筆Ｋの柄部Ｅの挿し入れ方向と引き出し方向が一方向の操作となることにより、化粧筆Ｋの筆部Ｈの穂先に手が触れることなく化粧筆Ｋの化粧筆収納ケース１からの出し入れが可能となるため、化粧筆Ｋの筆部Ｈの穂先を痛めることなく収納及び取り出しが可能となる。
【００３４】
また、化粧筆Ｋの柄部Ｅの挿し入れ方向と引き出し方向が一方向の操作となることにより、化粧筆Ｋの筆部Ｈが逆向きにそそけることを未然に防止することもできる。
【００３５】
また、化粧筆Ｋを収納した状態で、化粧筆Ｋの筆部Ｈが収納部７の内部で表面部材３と背面部材５に挟まれて保持されることにより、化粧筆Ｋの移動を防ぐことができる。以上により、筆部Ｈの穂先を痛めることなく収納、取り出し及び保管を行うことが可能となり、化粧筆Ｋの筆部Ｈの穂先の寿命を向上させることができる。
【００３６】
本考案の第二の実施例の化粧筆収納ケース３０は、布、或いは合成樹脂等の柔らかな布状体によって構成され、図７乃至図９に示すように、略矩形の表面部材３３と、表面部材３３よりも左右方向に長い背面部材３５とが厚さ方向に重ね合されてなり、背面部材３５の中央部分において表面部材３３及び背面部材３５の上端縁４１，４１同士、及び下端縁４３，４３同士が縫合等により接合され、且つ、表面部材３３の左右両端４５，４５が開口４７に形成されてなる中空構造からなる収納部３７を形成してなる。
【００３７】
さらに、収納部３７の左右開口端４９，４９から背面部材３５が左右方向の外方へ延設されてなると共に、表面部材３３の正面に向かって折り返すことができる舌片状の蓋部３９，３９と、蓋部３９を折り返した状態で、左右の蓋部３９，３９同士を重ね合わせて接合するための着脱自在な磁石Ｇ，Ｇからなる留め具とを備えてなる。
【００３８】
磁石Ｇは、短冊状の小形の磁石からなり、左右の蓋部３９，３９にそれぞれ埋設して取り付けられてなる。例えば、左側の磁石Ｇは間を開けて２個埋設され、右側の磁石Ｇは１個埋設されてなり、右側の１個の磁石Ｇを左側の２個の磁石Ｇ，Ｇのいずれかに吸着させることにより、蓋部３９，３９同士が接合する位置を２段階に調整可能としてなる。
【００３９】
化粧筆収納ケース３０の使用方法は、図１０（ｒ）に示すように、蓋部３９，３９を開いた状態で化粧筆Ｋの柄部Ｅの先端を開口４７の一端側に挿し入れ、図１０（ｓ）に示すように、開口４７の他端側から柄部Ｅを摘まんで引き入れることで、筆部Ｈの穂先が収納部３７に収納される。
【００４０】
さらに、図１１に示すように、蓋部３９，３９を折り返した状態に閉めて、蓋部３９，３９の磁石Ｇ，Ｇ同士を吸着により接合することにより、化粧筆Ｋの筆部Ｈの穂先を痛めることなく、収納及び保管することができる。
【００４１】
このようにしてなる化粧筆収納ケース３０は、化粧筆Ｋの柄部Ｅの挿し入れ方向と引き出し方向が一方向の操作となることにより、化粧筆Ｋの筆部Ｈの穂先に手が触れることなく化粧筆Ｋの化粧筆収納ケース３０からの出し入れが可能となるため、化粧筆Ｋの筆部Ｈの穂先を痛めることなく収納及び取り出しが可能となる。
【００４２】
また、化粧筆Ｋの柄部Ｅの挿し入れ方向と引き出し方向が一方向の操作となることにより、化粧筆Ｋの筆部Ｈが逆向きにそそけることを未然に防止することもできる。
【００４３】
また、化粧筆Ｋを収納した状態で、化粧筆Ｋの筆部Ｈが収納部３７の内部で表面部材３３と背面部材３５に挟まれて保持されることにより、化粧筆Ｋの移動を防ぐことができる。以上により、筆部Ｈの穂先を痛めることなく収納、取り出し及び保管を行うことが可能となり、化粧筆Ｋの筆部Ｈの穂先の寿命を向上させることができる。
【符号の説明】
【００４４】
１    化粧筆収納ケース
３    表面部材
５    背面部材
７    収納部
９    蓋部
１１    上端縁
１３    下端縁
１５    左右両端
１７    開口
１９    左右開口端
２１    凸形状
２３    補強部材
３０    化粧筆収納ケース
３３    表面部材
３５    背面部材
３７    収納部
３９    蓋部
４１    上端縁
４３    下端縁
４５    左右両端
４７    開口
４９    左右開口端
Ｅ    柄部
Ｆ    面ファスナー
Ｇ    磁石
Ｈ    筆部
Ｋ    化粧筆
【図１】
0003210817.tif 000003
【図２】
0003210817.tif 000004
【図３】
0003210817.tif 000005
【図４】
0003210817.tif 000006
【図５】
0003210817.tif 000007
【図６】
0003210817.tif 000008
【図７】
0003210817.tif 000009
【図８】
0003210817.tif 000010
【図９】
0003210817.tif 000011
【図１０】
0003210817.tif 000012
【図１１】
0003210817.tif 000013